(57)【要約】【課題】防災用遮水壁において、少人数の施工を可能にするとともに、短時間での施工を可能にして、何人が施工しても安定した効果が得られる構成で、浸水の恐れのあるときに、浸水の恐れのある対象の全てに対して早急に対応できることを目的とする。また、遮水の必要のないときは、通常の生活に支障を生じさせないことを目的とする。【解決手段】予め、遮水パネル受け１と支柱建込土台２を地面と面一にまたは地面より下方に設置して、遮水が必要となるときに、着脱可能な支柱３を支柱建込土台２に取り付け、第１、第２のシール部材１０ｂが設けられている着脱可能な遮水パネル４を遮水パネル受け１の上に設置するとともに、支柱３によって支持する構成で遮水壁を設ける。【選択図】　　　図２
2004068271.tif 000002
【特許請求の範囲】
【請求項１】
地面にライン状に設置された遮水パネル受けと、該遮水パネル受けの設置ラインに沿って間隔をあけて設けられた複数の支柱建込土台と、該支柱建込土台に建てられる着脱可能な支柱と、前記遮水パネル受け上に設置されるとともに前記支柱によって支持される着脱可能な遮水パネルを備えてなる遮水壁。
【請求項２】
請求項１記載の遮水壁において、
前記遮水パネル受けと前記支柱建込土台は、地面から上方へ突出しないよう、地面と面一にまたは地面より下方に設置されていることを特徴とする遮水壁。
【請求項３】
請求項１または２記載の遮水壁において、
前記遮水パネル受けと前記遮水パネルの接合面には、第１のシール部材が設けられていることを特徴とする遮水壁。
【請求項４】
請求項１〜３のいずれか一項に記載の遮水壁において、
前記支柱と前記遮水パネルとの接合面には、第２のシール部材が設けられていることを特徴とする遮水壁。
【請求項５】
予め、遮水パネル受けを地面にライン状に設置するとともに、支柱建込土台を前記遮水パネル受けの設置ラインに沿って間隔をあけて複数取り付けておき、
遮水が必要となるときに、支柱を前記支柱建込土台に取り付け、遮水パネルを前記遮水パネル受けの上に設置するとともに前記支柱によって前記遮水パネルを支持し、
常時は、前記支柱を前記支柱建込土台から撤去するとともに、前記遮水パネルを前記遮水パネル受けから撤去することを特徴とする遮水壁の設置方法。
【発明の詳細な説明】
【０００１】
【発明の属する技術分野】
この発明は、水害による浸水の防止のための遮水壁及びその遮水壁の簡易的な設置方法に関する。
【０００２】
【従来の技術】
従来、洪水や台風による家屋や施設の浸水対策には土嚢を積み上げることが行われてきた。これは、浸水の恐れのあるときに、機械または人力により土嚢袋に土を入れ土嚢を作り、浸水してくるであろう個所に人力によって土嚢を積み上げることで、浸水を防ぐものである。
【０００３】
【発明が解決しようとする課題】
しかしながら、上記のような従来の方法では以下のような問題が存在する。土嚢は非常に重く、積み上げようとすると多数の人々の力が必要となり、また時間もかかる。このため、浸水の恐れのあるときに、浸水の恐れのある個所の全てに対して早急に土嚢を構築するのは難しく、急を要する浸水の防止に適応できない場合が多い。また、急な事態に備えて予め土嚢を構築する方法は、遮水の必要がないときの生活に支障が生じるため、実現することは難しい。さらに、土嚢は、積み方により水が漏れたり決壊したりするため、その性能は構築した作業員の技量に寄るところが多く、浸水防止としての効果が不安定である。
【０００４】
本発明は、上記のような問題点を考慮されたものであり、少人数の施工を可能にするとともに、短時間での施工を可能にして、浸水の恐れのあるときに、浸水の恐れのある対象の全てに対して早急に対応できることを目的とする。また、本発明では、遮水の必要のないときは、通常の生活に支障を生じさせないことを目的とする。さらに、その遮水の効果を組み立てる作業員の技量に左右されず、本発明品の性能に依存するところを多くし、何人が施工しても安定した効果が得られることを目的とする。
【０００５】
【課題を解決するための手段】
上記の課題を解決するために本発明においては以下のような手段を採用する。
【０００６】
請求項１記載の遮水壁は、地面にライン状に設置された前記遮水パネル受けと、該遮水パネル受けの設置ラインに沿って間隔をあけて設けられた複数の前記支柱建込土台と、該支柱建込土台に建てられる着脱可能な前記支柱と、前記遮水パネル受け上に設置されるとともに前記支柱によって支持される着脱可能な前記遮水パネルを備えてなることを特徴としている。
【０００７】
このような構成により、複数の部材を組み立てることにより遮水壁を構築することができ、これによって浸水を防ぐことができる。
【０００８】
請求項２記載の遮水壁は、請求項１記載の遮水壁であって、前記遮水パネル受けと前記支柱建込土台は、地面から上方へ突出しないよう、地面と面一にまたは地面より下方に設置されていることを特徴としている。
【０００９】
このような構成により、支柱と遮水パネルを撤去したときは、地表面に突出物が無い状態にできる。
【００１０】
請求項３記載の遮水壁は、請求項１または２記載の遮水壁であって、前記遮水パネル受けと前記遮水パネルの接合面には、第１のシール部材が設けられていることを特徴としている。
【００１１】
このような構成により、遮水パネル受けと遮水パネルの接合部からの漏水を防止して、遮水効果を高めることができるとともに、部材の組立における誤差を解消することができる。
【００１２】
請求項４記載の遮水壁は、請求項１〜３のいずれか一項に記載の遮水壁であって、前記支柱と前記遮水パネルとの接合面には、第２のシール部材が設けられていることを特徴としている。
【００１３】
このような構成により、前記支柱と前記遮水パネルの接合部からの漏水を防止して、遮水効果を高めることができるとともに、部材の組立における誤差を解消することができる。
【００１４】
請求項５記載の遮水壁の設置方法は、予め、遮水パネル受けを地面にライン状に設置するとともに、支柱建込土台を前記遮水パネル受けの設置ラインに沿って間隔をあけて複数取り付けておき、
遮水が必要となるときに、支柱を前記支柱建込土台に取り付けて、遮水パネルを前記遮水パネル受けの上に設置するとともに、前記支柱によって支持し、
常時は、前記支柱を前記支柱建込土台から撤去するとともに、前記遮水パネルを前記遮水パネル受けから撤去することを特徴としている。
【００１５】
このような構成により、支柱と遮水パネルは着脱可能なため、遮水の必要がないときは、支柱と遮水パネルを撤去することができ、また遮水の必要があるときは、既製の部材を組み立てる簡単な作業だけにすることができる。
【００１６】
【発明の実施の形態】
以下、本発明に係る遮水壁及びその設置方法の実施の形態を、図面に基づいて説明する。尚、本実施の形態は、遮水エリアＡを浸水から防ぐものである。
【００１７】
図１で示すように、遮水パネル受け１は、遮水エリアＡを囲むように地面にライン状に設置されている。図２で示すように、この遮水パネル受け１の上部には遮水パネル４の厚さの幅で遮水パネル受け１の設置方向に沿って真中に溝１ａが設けられている。
【００１８】
図１で示すように、支柱建込土台２は、遮水パネル受け１の設置方向に沿って、遮水パネル４の略巾寸法に値する距離の間隔をあけて複数設置されている。また、図３（ａ）で示すように、支柱建込土台２は地面から上方が突出しないように、地面と面一にまたは地面よりも下方に設置されている。図２で示すように、支柱建込土台２は基礎２ａとＣ型チャンネル２ｂからなり、Ｃ型チャンネル２ｂが、基礎２ａの上部に遮水パネル受け１の設置方向に沿って設けられている。また、基礎２ａは支柱３を支えられる程度の重量を有する材質のものから成る。
【００１９】
図１で示すように、支柱建込土台２の上部には支柱３が取り付けられている。図２で示すように、この支柱３は円柱部材３ａと掛り部材３ｂからなり、円柱部材３ａの側面には、遮水パネル４の厚さの幅で鉛直方向に伸びた溝３ｃが設けられている。また、円柱部材３ａの底面にはシール部材１０ｄが取り付けられており、天端面にはボルト９と対と成る螺旋穴３ｄが設けられている。円柱部材３ａの脚部の側面には掛り部材３ｂが取り付けられている。この掛り部材３ｂは、円柱部材３ａの側面に設けられた溝３ｃの方向から円柱部材３ａの芯を中心点として両側にそれぞれ９０度回転させた方向に取り付けられていて、円柱部材３ａと強固に接合されている。円柱部材３ａは、水圧に耐えられるだけの強度を有する棒状の材料から成り、シール部材１０ｄは、弾力性のある耐水性に優れた部材からなる。
【００２０】
円柱部材３ａの頭部には、円柱部材３ａの芯を中心点として円柱部材３ａの側面に設けられた溝３ｃの方向から両側にそれぞれ９０度回転させた方向に伸縮自在の控え柱５ａが取り付けられている。この控え柱５ａは支柱３の頭部の側面から地面に向かって斜め４５度に設けられており、この控え柱５ａの脚部には接地板５ｂが設けられている。また、控え柱５ａには連結クランプ７によって直角に横繋ぎ部材６が取り付けられている。
【００２１】
図１で示すように、隣り合う２本の支柱３の間には、遮水パネル受けの設置方向に沿って遮水パネル４が取り付けられている。図３（ｂ）で示すように、この遮水パネル４の下縁には第１のシール部材１０ａが取り付けられており、図４で示すように、左右両側の縁には第２のシール部材１０ｂが取り付けられており、図２で示すように、上縁にはシール部材１０ｃが取り付けられている。遮水パネル４は、水圧に耐えられるだけの強度を有し耐水性に優れた板状の部材である。また、それぞれのシール部材１０ａ、１０ｂ、１０ｃはシール部材１０ｄと同質の部材である。
【００２２】
図２で示すとおり、遮水パネル４の上方には押え部材８が取り付けられており、この押え部材８は遮水パネル４を上部と前後面の三方から挟み込む断面コ字状の横長の部材である。また、この押え部材８の両端には支柱３に引っ掛ける延長片があり、その延長片にはボルト９が通る螺旋穴８ａが形成されている。
【００２３】
次に、上記した遮水パネル受け１と、支柱建込土台２と、支柱３と、遮水パネル４等を用いた遮水壁の設置方法について説明する。
【００２４】
予め、図３（ａ）、図３（ｂ）で示すように、遮水パネル受け１と支柱建込土台２を地面から上方が突出しないように地面と面一にまたは地面よりも下方になるようにして、所定の位置に設置しておく。
【００２５】
遮水の必要があるときは、まず支柱３を支柱建込土台２に取り付ける。図５（ａ）に示すように、掛り部材３ｂの取付方向がＣ型チャンネル２ｂの設置方向と同一になる向きで支柱３の脚部をＣ型チャンネル２ｂの中に入れる。次に、図５（ｂ）に示すように、控え柱５が遮水エリアＡの方に向くように支柱３を９０度回転させて、支柱３をＣ型チャンネル２ｂの中の掛り部材３ｂによって固定する。
【００２６】
図３（ａ）で示すように、この支柱３に設けられた控え柱５ａを伸縮させて、接地板５ｂが地表面に水平に接地するように、その長さを調節して固定する。この控え柱５ａの脚部に連結クランプを使い遮水パネル受けの設置方向と平行になるように横繋ぎ部材６を固定する。この１本の横繋ぎ部材６を介して複数の隣り合う控え柱５ａを連結する。
【００２７】
次いで、図１に示すように、遮水パネル４を隣り合う２本の支柱３の間に鉛直に建てる。図２に示すように、この遮水パネル４を遮水パネル受け１の上部の溝１ａにはめ込み、支柱３の側面の溝３ｃに遮水パネル４をはめ込むことにより、これを支持する。
【００２８】
また、遮水パネル受け１に建てられた遮水パネル４の上部に押え部材８をはめ込み、その押え部材８の先端の延長片８ａを支柱３の天端面にのせて、隣り合う押え部材８の２つの延長片８ａを重ね合わせてボルト９により支柱３と一体で締めて、支柱３と遮水パネル４を固定する。
【００２９】
以上のような構成により遮水の必要があるときは、それぞれの部材を組み立てて、遮水壁を遮水エリアＡの周りに設置する。これによって、遮水エリアＡを浸水から守ることができる。
【００３０】
一方、遮水の必要がないときは、支柱３と遮水パネル４と控え柱５ａと接地板５ｂと横繋ぎ材６と連結クランプ７と押え部材８とボルト９を解体して、それぞれは撤去して別の場所に保管する。遮水パネル受け１と支柱建込土台２は地表面と面一あるいは下方に設置されているので、これら以外の部材を撤去することで通常の生活に支障が出ることはない。
【００３１】
また、遮水パネル受け１と遮水パネル４、支柱３と支柱建込土台２、支柱３と遮水パネル４、遮水パネル４と押え部材８の接合面にはそれぞれシール部材１０ａ、１０ｂ、１０ｃ、１０ｄが設けられている。このシール部材により部材を組み立てるときの誤差を解消するとともに、シール部材の弾性により部材同士が密着して止水効果を高めることができる。
【００３２】
さらに、遮水パネル４や各所シール部材１０ａ、１０ｂ、１０ｃ、１０ｄの欠損等により万一漏水した場合を想定して、図１に示すように、遮水壁で囲まれた遮水エリアＡ内で、要所に釜場１１を設ける。この釜場１１に向かって勾配を取って集水し、釜場１１に集められた水は図示せぬ排水ポンプにより遮水エリアＡ外に排出する。
【００３３】
以上のように本発明に係る実施の形態について説明したが、本発明は上記した実施の形態に限定されるものではなく、その趣旨を逸脱しない範囲内で適宜変更可能である。例えば、上記した実施の形態では、水圧によって支柱３が転倒することを防止するために控え柱５ａを設けているが、支柱建込土台２の近くに構造物などの障害物が遮水エリアＡ内にあり控え柱５ａが設置できない場合は、支柱３の根入れ深さを深くして、且つ支柱３の許容応力度を大きくして、控え柱５ａと横繋ぎ材６を省く方法でも良い。また、支柱３の取り付け方法についても、支柱３の脚部を螺旋状にして、これと対を成す螺旋穴を支柱建込土台２に設けて、この螺旋穴に支柱３の脚部を取り付けて固定する方法でも良い。
【００３４】
【発明の効果】
以上説明したように、本発明に係る遮水壁は、地面にライン状に設置された遮水パネル受けと、遮水パネル受けの設置方向に沿って間隔をあけて設けられた複数の支柱建込基台と、支柱建込土台に建てられる着脱可能な支柱と、遮水パネル受け上に設置されるとともに支柱によって支持される着脱可能な遮水パネルを組み立てることで構築できるので、誰にでも簡単に設置と撤去を行うことができる。よって、遮水が必要となるときは、少人数による短時間での浸水対策が可能であり、必要がないときは支柱や遮水パネルは撤去され、また遮水パネルと支柱建込土台は地面から上方へ突出しないように地面と面一にまたは地面より下方に設置されているので、通常の生活で支障になることはない。
【００３５】
また、遮水パネル受けと遮水パネルの接合面に第１のシール部材を設けているので、遮水パネル受けと遮水パネルの接合面からの漏水を防止することができるとともに、部材同士の組立における誤差を解消することができる。これによって、止水効果を高めることができるので、作業者の技量に関係なく安定した効果が得られる。
【図面の簡単な説明】
【図１】本発明の遮水壁の実施の形態の構成を説明する配置図である。
【図２】本発明の遮水壁の実施の形態の各部材を説明する分解斜視図である。
【図３】（ａ）は本発明の遮水壁の実施の形態の支柱と支柱建込基台を説明する断面図、（ｂ）は本発明の遮水壁の実施の形態の遮水パネルと遮水パネル受けを説明する断面図である。
【図４】本発明の遮水壁の実施の形態の支柱と遮水パネルを説明する平面図である。
【図５】（ａ）は本発明の遮水壁の実施の形態の支柱建込基台に支柱を差し込む状況を説明する組立図で、（ｂ）は本発明の遮水壁の実施の形態の支柱建込基台に支柱を固定する状況を説明する組立図である。
【符号の説明】
１　　遮水パネル受け
１ａ　遮水パネル受けの上部の溝
２　　支柱建込基台
２ａ　基礎
２ｂ　Ｃ型チャンネル
３　　支柱
３ａ　円柱部材
３ｂ　掛り部材
３ｃ　円柱部材側面の溝
３ｄ　円柱部材天端面の螺旋穴
４　　遮水パネル
５ａ　控え柱
５ｂ　接地板
６　　横繋ぎ部材
７　　連結クランプ
８　　押え部材
８ａ　押え部材の両端にある螺旋穴
９　　ボルト
１０ａ第１のシール部材
１０ｂ第２のシール部材
１０ｃシール部材
１０ｄシール部材
Ａ　　遮水エリア
【図１】
2004068271.tif 000003
【図２】
2004068271.tif 000004
【図３】
2004068271.tif 000005
【図４】
2004068271.tif 000006
【図５】
2004068271.tif 000007